(57)【要約】【課題】汚泥中に含まれる余剰水を効果的に除去でき、しかも、それを簡素な構造でコスト的に有利に実現できる汚泥濃縮機を提供する。【解決手段】余剰水を含む汚泥が移送されるライン４に設けられ、二重管からなっていて、前記汚泥が内管９を通じてラインを移送されるようになされており、内管９の管壁には、汚泥中に含まれる余剰水を通す孔１１…が設けられ、余剰水が、該孔１１…を通じて内管９と外管１０との間に送り込まれ、外管１０を通じて排出されるようになされている。内管９を伸縮素材で構成し、内管９を管軸方向に伸長させる引張り機１９が備えられ、該引張り機１９で内管９を伸長状態にすることにより、内管９の余剰水通孔１１…が拡げられ、その状態で逆洗を行うことができるようになされているとよい。【選択図】      図１
2009248001.tif 000002
【特許請求の範囲】
【請求項１】
余剰水を含む汚泥が移送されるラインに設けられ、二重管からなっていて、前記汚泥が内管を通じてラインを移送されるようになされており、内管の管壁には、汚泥中に含まれる余剰水を通す孔が設けられ、余剰水が、該孔を通じて内管と外管との間に送り込まれ、外管を通じて排出されるようになされていることを特徴とする汚泥濃縮機。
【請求項２】
外管に、前記余剰水を貯めるタンクが接続されると共に、外管と余剰水タンクを接続する配管にポンプが介設され、該ポンプを駆動し、余剰水タンクの余剰水を外管と内管との間に送り込むことにより、内管の余剰水通孔が逆洗されるようになされている請求項１に記載の汚泥濃縮機。
【請求項３】
前記内管が伸縮素材からなると共に、該内管を管軸方向に伸長させる引張り機が備えられ、該引張り機で内管を伸長状態にすることにより、内管の余剰水通孔が拡げられるようになされて、該拡げられた状態で、前記逆洗を行うことができるようになされている請求項２に記載の汚泥濃縮機。
【請求項４】
請求項１乃至３のいずれか一に記載の汚泥濃縮機が、廃水処理設備において汚泥濃縮槽と汚泥貯留槽とをつなぐラインに設けられ、汚泥濃縮槽の汚泥を汚泥貯留槽に送り込むポンプにより、汚泥が前記汚泥濃縮機の内管を通過するようになされていることを特徴とする廃水処理設備。
【発明の詳細な説明】
【技術分野】
【０００１】
本発明は、汚泥濃縮機に関する。
【背景技術】
【０００２】
例えば、屎尿や下水等の廃水は、廃水処理場において、その中に含まれる懸濁物質（ＳＳ）等を汚泥濃縮槽で濃縮して分離した後に、河川等に放流されると共に、汚泥濃縮槽の濃縮汚泥は、移送ラインを通じて、ポンプにより汚泥貯留槽に送り込まれ、該貯留槽内の濃縮汚泥は、処分場に搬送されて、焼却、埋立て、コンポスト化の処理が施される。
【特許文献１】特開平１１−２５３９９８号公報
【発明の開示】
【発明が解決しようとする課題】
【０００３】
ところで、上記のような廃水汚泥処理において、汚泥貯留槽に貯留された汚泥中には余剰水が含まれていて、この余剰水が処分場への汚泥の搬送に不都合を生じさせてしまうことがあるが、この余剰水を、簡素な構造でコスト的に有利に除去することができるようになされたものは、未だ提供されていない。
【０００４】
本発明は、上記のような問題点に鑑み、汚泥中に含まれる余剰水を効果的に除去することができ、しかも、それを簡素な構造でコスト的に有利に実現することができる汚泥濃縮機を提供することを課題とする。
【課題を解決するための手段】
【０００５】
上記の課題は、余剰水を含む汚泥が移送されるラインに設けられ、二重管からなっていて、前記汚泥が内管を通じてラインを移送されるようになされており、内管の管壁には、汚泥中に含まれる余剰水を通す孔が設けられ、余剰水が、該孔を通じて内管と外管との間に送り込まれ、外管を通じて排出されるようになされていることを特徴とする汚泥濃縮機によって解決される（第１発明）。
【０００６】
この汚泥濃縮機では、汚泥が内管を通過していく過程で、該汚泥中に含まれている余剰水が、内管の管壁の孔を通じて内管と外管との間に送り込まれ、外管を通じて排出されるようになされているので、汚泥中に含まれる余剰水を効果的に除去することができる。
【０００７】
しかも、二重管からなり、汚泥が通過する内管の管壁に余剰水通孔が設けられ、外管を通じて余剰水が排出されるようになされただけの構造であり、汚泥が移送されるラインに設けられることによって、該ラインにおける汚泥移送力を利用して汚泥が内管を通過するようになされているので、余剰水の除去を、簡素な構造でコスト的に有利に実現することができる。
【０００８】
第１発明において、外管に、前記余剰水を貯めるタンクが接続されると共に、外管と余剰水タンクを接続する配管にポンプが介設され、該ポンプを駆動し、余剰水タンクの余剰水を外管と内管との間に送り込むことにより、内管の余剰水通孔が逆洗されるようになされているとよい（第２発明）。
【０００９】
この場合は、内管の余剰水通孔を塞ぐ汚泥を逆洗によって除去することができるのはもちろん、逆洗用の水として余剰水タンクの余剰水を使用する構成であることにより、余剰水を有効利用することができる。
【００１０】
第２発明において、前記内管が伸縮素材からなると共に、該内管を管軸方向に伸長させる引張り機が備えられ、該引張り機で内管を伸長状態にすることにより、内管の余剰水通孔が拡げられるようになされて、該拡げられた状態で、前記逆洗を行うことができるようになされているとよい（第３発明）。
【００１１】
この場合は、逆洗時に、内管の余剰水通孔を拡げることにより、余剰水通孔に詰まった汚泥を該通孔から外れやすくすることができると共に、逆洗水を内管の通孔に通しやすくすることができて、通孔に詰まった汚泥を、少ない量の逆洗水により、低ポンプ圧のもとで、短時間のうちに、きれいに除去することができ、伸縮素材からなる内管の逆洗による消耗も低く抑えることができる。
【００１２】
また、上記の課題は、第１〜第３発明の汚泥濃縮機が、廃水処理設備において汚泥濃縮槽と汚泥貯留槽とをつなぐラインに設けられ、汚泥濃縮槽の汚泥を汚泥貯留槽に送り込むポンプにより、汚泥が前記汚泥濃縮機の内管を通過するようになされていることを特徴とする廃水処理設備によって同様に解決される。
【００１３】
この設備では、汚泥貯留槽に貯留された濃縮汚泥中に含まれる余剰水を少なくすることができて、焼却、埋立て、コンポスト化の処理を行う処分場への搬送量を少なくすることができる。
【発明の効果】
【００１４】
本発明の汚泥濃縮機は、以上のとおりのものであるから、汚泥中に含まれる余剰水を効果的に除去することができ、しかも、それを簡素な構造でコスト的に有利に実現することができる。
【発明を実施するための最良の形態】
【００１５】
次に、本発明の実施最良形態を図面に基づいて説明する。
【００１６】
図１〜図４に示す実施形態の汚泥濃縮機１は、図１（イ）に示すように、廃水処理設備において汚泥濃縮槽２と汚泥貯留槽３とをつぐライン４に設けられているもので、該ライン４には、汚泥濃縮槽２の濃縮汚泥を汚泥貯留槽３に移送する第１ポンプ５が設けられている。なお、汚泥濃縮槽２は、受け入れる廃水６を、その中に含まれる懸濁物質等を濃縮分離した後に、河川等に放流７するもので、その濃縮汚泥が、第１ポンプ５によりライン４を通じて汚泥貯留槽３に移送されるようになされている。８は調整弁である。
【００１７】
汚泥濃縮機１は、図１（ロ）（ハ）及び図２（イ）に示すように、内管９と外管１０とによる二重管からなっていて、汚泥濃縮槽２からの汚泥は、内管９を通じてライン４を移送されるようになされている。外管１０は金属からなり、内管９は、伸縮素材からなる本体管部９ａと、該本体管部９ａの両端に設けられた金属からなる端管部９ｂ，９ｂとで構成されている。そして、内管９の本体管部９ａの管壁には、図２（ロ）（ハ）に示すように、汚泥濃縮槽２から送られてくる汚泥中に含まれる余剰水を通す孔１１…が備えられると共に、図１（イ）に示すように、外管１０には配管１２を介して余剰水タンク１３が接続され、汚泥中の余剰水が内管９の本体管部９ａの余剰水通孔１１…を通じて、内管９と外管１０との間に送り込まれ、外管１０から配管１２を通じて余剰水タンク１３に排出されるようになされている。
【００１８】
また、外管１０と余剰水タンク１３とをつなぐ配管１２には、逆洗用の第２ポンプ１４が設けられ、該第２ポンプ１４を駆動することにより、余剰水タンク１３の余剰水が外管１０と内管９との間に送り込まれ、内管９の本体管部９ａの余剰水通孔１１…が逆洗されるようになされている。１５は逆洗に用いられた水を排出する配管であり、該配管１５には第３ポンプ１６と調整弁１７が介設され、逆洗中に第３ポンプ１６を駆動することにより、逆洗に用いられた水が図示しない流量調整槽等に移送されるようになされている。
【００１９】
更に、上記の内管９は、図２（ロ）に示すように、一方の端管部９ｂが外管１０に固定１８されると共に、もう一方の端管部９ｂが引張り機１９に連結され、図２（ニ）に示すように、該引張り機１９を駆動して内管９に引張り力を付与することにより、伸縮素材からなる本体管部９ａが伸長して、図２（ホ）に示すように、余剰水通孔１１…が拡げられるようになされており、該拡げられた状態で、上記の逆洗を行うことができるようになされている。
【００２０】
上記の汚泥濃縮機１では、第１ポンプ５を駆動して汚泥濃縮槽２の濃縮汚泥を汚泥貯留槽３に移送していく過程において、該汚泥は、汚泥濃縮機１の内管９内を通過し、該通過の過程で、汚泥中に含まれている余剰水が、内管９の本体管部９ａの管壁の通孔１１…を通じて内管９と外管１０との間に送り込まれ、外管１０、配管１２を通じて余剰水タンク１３内に排出され、汚泥はそれにより濃縮されて内管９を出、汚泥貯留槽３に移送される。
【００２１】
その過程で、図３（イ）〜（ハ）に示すように、内管９の余剰水通孔１１…が汚泥２０…で目詰まりをした状態となった場合は、第１ポンプ５の駆動を必要に応じて停止状態にして、図４に示すように、引張り機１９と第２，第３のポンプ１４，１６を駆動することにより、内管９の本体管部９ａを伸長させて図３（ニ）に示すように余剰水通孔１１…を拡げた状態にすると共に、余剰水タンク１３内の余剰水を外管１０と内管９との間に送り込んで図３（ホ）に示すように余剰水通孔１１…の逆洗を行えば、詰まっていた汚泥は通孔１１…から外れて目詰まりが解消される。
【００２２】
このように、上記の汚泥濃縮機１によれば、汚泥中に含まれる余剰水を、汚泥濃縮槽２から汚泥貯留槽３への移送過程において効果的に除去することができて、汚泥貯留槽３に貯留された汚泥を、焼却、埋立て、コンポスト化の処理を行う処分場への搬送量を少なくすることができる。
【００２３】
しかも、汚泥濃縮機１は、二重管からなり、汚泥が通過する内管９の管壁に余剰水通孔１１…が設けられ、外管１０を通じて余剰水が排出されるようになされただけの構造であり、汚泥が移送されるラインに設けられることによって、該ラインにおける汚泥移送力を利用して汚泥が内管９を通過するようになされているので、余剰水の除去を、簡素な構造でコスト的に有利に実現することができる。
【００２４】
また、逆洗機能を付与されていることにより、汚泥による余剰水通孔１１…に生じる目詰まりを解消することができると共に、逆洗に余剰水を有効利用することができ、また、内管９に伸縮素材が用いられ、引っ張ることで通孔１１…が拡げられるようになされているので、通孔１１…に詰まった汚泥を、少ない量の逆洗水により、低ポンプ圧のもとで、短時間のうちに、きれいに除去することができ、逆洗による内管９の本体管部９ａの消耗も低く抑えることができる。
【００２５】
以上に、本発明の実施形態を示したが、本発明はこれに限られるものではなく、発明思想を逸脱しない範囲で各種の変更が可能である。例えば、上記の実施形態では、本発明の汚泥濃縮機１を、汚泥濃縮槽２と汚泥貯留槽３とをつぐラインに設けた場合を示したが、本発明の汚泥濃縮機は、それに限らず、余剰水を含んだ汚泥が移送される各種の汚泥移送ラインに設けて用いることができるものであることはいうまでもない。
【図面の簡単な説明】
【００２６】
【図１】図（イ）は実施形態の汚泥濃縮機及び廃水処理設備を示す説明図、図（ロ）は汚泥濃縮機の斜視図、図（ハ）は外管を省略した状態の斜視図である。
【図２】図（イ）は汚泥濃縮機の分解斜視図、図（ロ）は引張り前の内管の斜視図、図（ハ）は内管の管壁の拡大断面図、図（ニ）は内管を引っ張り状態にした斜視図、図（ホ）は引張り状態における内管の管壁の拡大断面図である。
【図３】図（イ）〜図（ハ）は余剰水通孔に目詰まりを生じていく過程を示す断面図、図（ニ）は逆洗準備段階の断面図、図（ホ）は逆洗中の断面図である。
【図４】逆洗中の廃水処理設備の作動状態を示す説明図である。
【符号の説明】
【００２７】
１…汚泥濃縮機
２…汚泥濃縮槽
３…汚泥貯留槽
４…ライン
５…第１ポンプ
９…内管
１０…外管
１１…余剰水通孔
１３…余剰水タンク
１４…第２ポンプ
１９…引張り機
２０…汚泥
【図１】
2009248001.tif 000003
【図２】
2009248001.tif 000004
【図３】
2009248001.tif 000005
【図４】
2009248001.tif 000006